(57)【特許請求の範囲】
【請求項１】
利用金額の目安等をパンチ穴で目視可能とした磁気カードにおいて、前記パンチ穴をあけるトラックとして磁気記録が可能な保磁力を有する磁性材料でストライプ状に形成した第１の磁気記録層と、データを記録するトラックとして前記第１の磁気記録層と同一の磁性材料でストライプ状に形成した第２の磁気記録層とを設け、前記第１および第２の磁気記録層を一体を覆って遮蔽層を形成し、前記第１の磁気記録層にパンチ穴の位置を検出するための連続情報を予め記録したことを特徴とする磁気カード。
【請求項２】
遮蔽層として、保磁力が小さな軟質磁性材料を用いたことを特徴とする請求項１記載の磁気カード。
【発明の詳細な説明】
【０００１】
【発明の属する技術分野】
本発明は、回数券やプリペイドカードに用いる磁気カードに関するものである。
【０００２】
【従来の技術】
従来より、回数券として磁気カードを使用し、利用者の便宜のために利用毎あるいは一定の利用毎に磁気カードにパンチ穴をあけ、利用状況を目視可能にすることが行われている。さらに、そのパンチ穴を利用し、装置内に設けた光学センサあるいは磁気センサなどにより磁気カード上のパンチ穴位置を検出し、その位置情報により、例えば磁気的手段により磁気カードに記録された情報の真偽を判定することが行われている。
【０００３】
【発明が解決しようとする課題】
しかしながら、この種の磁気カードは磁気記録層を磁気カード全域に形成しているため、使用済み磁気カードのデータを記録するトラックを残存したままで、切り貼りなどによリパンチ穴のあいていない磁気記録層部分をパンチ穴を開けるトラック位置にもってくることが可能であるため、不正使用を可能とする欠点があった。
【０００４】
本発明の目的は、上記の欠点を解決し、本来使用しているトラック以外の磁気記録層をなくし、切り貼りなどの不正使用ができない磁気カードを提供することにある。
【０００５】
【課題を解決するための手段】
本発明にかかる磁気カードは、パンチ穴をあけるトラックとして磁気記録が可能な保磁力を有する磁性材料でストライプ状に形成した第１の磁気記録層と、データを記録するトラックとして前記第１の磁気記録層と同一の磁性材料でストライプ状に形成した第２の磁気記録層とを設け、前記第１および第２の磁気記録層を一体を覆って遮蔽層を形成し、前記第１の磁気記録層にパンチ穴の位置を検出するための連続情報を予め記録したものである。
【０００６】
さらには、遮蔽層として保磁力が小さな軟質磁性材料を用いたものである。
【０００７】
【発明の実施の形態】
図１は、本発明の一実施形態を示す図であり、図２は、図１のＡ一Ａ断面図である。
【０００８】
図１，図２において、１は磁気カードで、非磁性体の基板２上に磁気記録が可能な保磁力を有する磁性材料から成りパンチ穴を開けるトラックとなる第１の磁気記録層３、この第１の磁気記録層３と同じ磁性材料から成りデータを記録するトラックとなる第２の磁気記録層４がそれぞれストライプ状に塗布形成され、磁気記録層３及び磁気記録層４を一体に覆い基板２の片面全域にわたって顔料を含むバインダからなる遮蔽層５が塗布あるいは印刷によって形成されている。また、磁気記録層４には、磁気カード１の残り金額、必要に応じて発行日、発行番号などが磁気記録される。６は磁気カード１に開けられたパンチ穴である。磁気カード１は遮蔽層５によって光学的に遮蔽されているため、磁気記録層３及び磁気記録層４の位置を目視により識別することはできない。
【０００９】
上述の構成となっていることから、パンチ穴６の開いた使用済み磁気カード１において、パンチ穴６を開けるトラック位置にパンチ穴６のあいていない磁気記録層３部分をもってくるためには、データを記録するトラックをもってくるように切り貼りを行う必要がある。また、この場合、逆にデータを記録するトラックとして利用できるのはパンチ穴６を開けるトラックとなるが、パンチ穴６を開けるトラックには既にパンチ穴６が開いているために、データを記録するトラックとして使用した場合にはデータのビット抜けが発生する。したがって、データの正常な読み取りができず、使用することができない。また、磁気記録層３，４の上に遮蔽層５を形成しているため、利用者からは磁気記録層３，４の構成を目視することができず、構造を把握することができない。
【００１０】
図３は、この磁気カード１を用いて決済を行うカード処理装置（図示せず）の処理手順を示す図である。なお、（１）〜（８）は各ステップを示す。
【００１１】
ステップ（１）において、磁気カード１が挿入されるとカード処理装置は磁気カード１の取り込みを行う。
【００１２】
ステップ（２）において、磁気記録層４に対応する位置に設けられた磁気ヘッドによリデータの読み取りが行われ、残り金額がカード処理装置内のメモリに記憶され、表示器に表示される。
【００１３】
ステップ（３）において、磁気記録層３に対応して設けられた磁気ヘッドによリパンチ穴６の有無、位置の検出が行われる。この具体的方法としては、例えば、磁気記録層３に予め連続情報を記録しておくことにより達成できる。すなわちパンチ穴６がない場合には、磁気カード１の端から端まで連続した情報が検出されるが、途中にパンチ穴６がある場合には、その部分で情報がなくなるためパンチ穴６と識別することができる。また、磁気カード１の端から情報の数をカウントすることにより、その位置を求めることができる。
【００１４】
ステップ（４）において、ステップ（３）でパンチ穴６が検出された場合、その位置から残り金額の目安を求める。例えば、３００から５００の間にパンチ穴６が検出された場合、残り金額は３００円以上で５００円未満と判断される。ステップ（２）で磁気記録層４から読み取った残り金額がこの範囲にあれば正しい磁気カード１であると判断する。
【００１５】
ステップ（５）において、正しい磁気カード１であると判断した場合には、その金額相当のサービスの提供が行われる。例えば、自動販売機であれば、その金額相当の商品の購入が可能となり、ジュースを１本購入すると、磁気記録層４の残り金額情報の更新が行われる。
【００１６】
残り金額の更新が行われたとき、更新金額が２００円になったとすると、ステップ（６）において、磁気記録層３の１００から３００の間にパンチ穴６がさん孔される。
【００１７】
ステップ（７）において、サービスの提供が終了すると、ステップ（８）において磁気カード１は返却される。
【００１８】
ここで、ステップ（４）において、ステップ（３）で検出されたパンチ穴６の位置から求めた残り金額の目安よりもステップ（２）で読み取った残り金額が大きい場合には、不正カードとして処理される。
【００１９】
また、磁気記録層４にパンチ穴６があいていた場合には、ステップ（２）において、磁気記録層４から正常なデータの読み取りができないため、異常カードとして処理される。
【００２０】
図４は、本発明の他の実施形態を示す図であり、図５は図４のＢ一Ｂ断面図である。図２と同じ部分は同一番号で表している。磁気カード１０は、磁気記録層３、磁気記録層４を覆い、基板２の片面全域にわたって、例えばＭｎ一Ｚｎフェライトなどの保磁力が小さな軟質磁性材料（例えば、１００エルステッド以下）からなる遮蔽層７が塗布によって形成されている。磁気的な遮蔽層を有する磁気カードについては、例えば、特開昭５５−９３５１４号公報に記載されているように、一般の磁気ヘッドではデータを読み取ることができないため、磁気記録層３及び磁気記録層４の位置を目視で確認することをできなくするとともに、一般の磁気ヘッドによっても確認することをできなくすることができる。
【００２１】
【発明の効果】
以上説明したように、本発明は、パンチ穴をあけるトラックとして磁気記録が可能な保磁力を有する磁性材料でストライプ状に形成した第１の磁気記録層と、データを記録するトラックとして前記第１の磁気記録層と同一の磁性材料でストライプ状に形成した第２の磁気記録層とを設け、前記第１および第２の磁気記録層を一体に覆って遮蔽層を形成し、前記第１の磁気記録層に予め連続情報を記録したものであり、１枚のカードにおいて、パンチ穴を開けるトラックの代替えとなる部分はデータを記録するトラックのみとなり、データを記録するトラックの代替えとなる部分はパンチ穴を開けるトラックのみとなるため、使用済み磁気カードにおいてはパンチ穴がさん孔されるため、パンチ穴を開けるトラックをデータを記録するトラックとして使用することができない。
【００２２】
さらに、遮蔽層により磁気カード全域を覆っているため、磁気カードの構造も秘匿することができ、極めて不正防止効果の高い磁気カードを提供することができる。
【図面の簡単な説明】
【図１】本発明の一実施形態を示す外観斜視図である。
【図２】図１のＡ―Ａ断面図である。
【図３】本発明の磁気カードを用いて決済を行うカード処理装置の処理手順を示す図である。
【図４】本発明の他の実施形態を示す外観斜視図である。
【図５】図４のＢ―Ｂ断面図である。
【符号の説明】
１，１０  磁気カード
２  基板
３  パンチトラックとなる第１の磁気記録層
４  データトラックとなる第２の磁気記録層
５，７  遮蔽層
６  パンチ穴
【図１】
0003566542.tif 000002
【図２】
0003566542.tif 000003
【図３】
0003566542.tif 000004
【図４】
0003566542.tif 000005
【図５】
0003566542.tif 000006